(57)【特許請求の範囲】
【請求項１】
少なくとも１層の透明コア層と、
前記透明コア層の片面又は両面に積層された透明被覆層と、
前記いずれかの層に設けられ、磁気情報を記録する磁気ストライプと、
を備えた透明カードにおいて、
前記透明被覆層上に部分的に設けられ、少なくとも前記磁気ストライプを隠蔽する隠蔽層と、
前記透明被覆層及び／又は前記隠蔽層上に設けられ、文字・画像情報を形成する表面画像表示層と、
を備え、
前記隠蔽層は、少なくともカード上端から２１ｍｍ内と、カード下端から１０ｍｍ内に形成されていること
を特徴とする透明カード。
【請求項２】
請求項１に記載の透明カードにおいて、
前記透明コア層と前記透明被覆層の少なくとも１つ以上の層間に形成され、文字・画像情報を形成された層間画像表示層を備えたこと
を特徴とする透明カード。
【発明の詳細な説明】
【０００１】
【発明の属する技術分野】
本発明は、キャッシュカード，クレジットカード，各種ＩＤカ−ド，会員カード等に好適に使用できるカード基材が透明な透明カードに関するものである。
【０００２】
【従来の技術】
従来、この種の透明カードとして、例えば、カード基材を透明にして、意匠的な効果をねらったものがあった。
【０００３】
【発明が解決しようとする課題】
しかし、ＩＳＯ（７８１０）やＪＩＳ（６３０１）等によって、規定された領域で所定の光透過濃度（１．５以上）をもたなければならないが、前述した従来の透明カードは、規定された光透過濃度を満足しないために、ＡＴＭ等の機械読取が不可能であった。
【０００４】
本発明の目的は、ＡＴＭ等の機器読取が可能であると共に、部分的に透明な絵柄を形成することにより、特殊な意匠性を持たせることができる透明カードを提供することである。
【０００５】
【課題を解決するための手段】
前記課題を解決するために、請求項１の発明は、少なくとも１層の透明コア層と、前記透明コア層の片面又は両面に積層された透明被覆層と、前記いずれかの層に設けられ、磁気情報を記録する磁気ストライプと、を備えた透明カードにおいて、前記透明被覆層上に部分的に設けられ、少なくとも前記磁気ストライプを隠蔽する隠蔽層と、前記透明被覆層及び／又は前記隠蔽層上に設けられ、文字・画像情報を形成する表面画像表示層と、を備え、前記隠蔽層は、少なくともカード上端から２１ｍｍ内と、カード下端から１０ｍｍ内に形成されていることを特徴とする透明カードである。
【０００６】
請求項２の発明は、請求項１に記載の透明カードにおいて、前記透明コア層と前記透明被覆層の少なくとも１つ以上の層間に形成され、文字・画像情報を形成された層間画像表示層を備えたことを特徴とする透明カードである。
【０００８】
【発明の実施の形態】
以下、図面などを参照しながら、実施の形態をあげ、本発明をさらに詳細に説明する。
図１は、本発明による透明カードの実施形態を示す図であって、図１（ａ）は、カード層構成を示す図、図１（ｂ）は、カード表面を示す図である。
【０００９】
この透明カード１０は、図１（ａ）に示すように、２枚の透明センターコア（透明コア層）１１Ａ，１１Ｂと、透明センターコア１１Ａ，１１Ｂの両面に積層されるオーバーシート（透明被覆層）１２Ａ，１２Ｂと、透明センターコア１１Ｂとオーバーシート１２Ｂの層間に形成され、文字・画像情報を形成された裏面印刷層（層間画像表示層）１３ａ，１３ｂ等とを備えている。
【００１０】
透明センターコア１１Ａ，１１Ｂは、透明なポリ塩化ビニル，ポリエステル，ポリカーボネート，ＡＢＳ樹脂シート等の材料であって、厚さが２００〜４００μｍのもの等が好適に使用でき、この実施形態では、２８０μｍとした。
【００１１】
オーバーシート１２Ａ，１２Ｂは、透明なポリ塩化ビニル，ポリエステル，ポリカーボネート，ＡＢＳ樹脂シート等の材料であって、厚さが５０〜１５０μｍのもの等が好適に使用でき、この実施形態では、１００μｍとした。
【００１２】
また、この透明カード１０は、オーバーシート１２Ａ，１２Ｂの外面側に磁気情報を記録する磁気ストライプ（ＭＳ）１４Ａ，１４Ｂが、規格で定められた所定の位置に設けられ、表面のオーバーシート１２Ａ上に部分的に、少なくとも磁気ストライプ１４Ａを隠蔽する部分に、隠蔽層１５が設けられている。
【００１３】
この隠蔽層１５は、４〜６μｍ程度の隠蔽銀層１５−１（１５−１ａ，１５−１ｂ）とオフホワイト層１５−２（１５−２ａ，１５−２１ｂ）とから構成されている。この隠蔽層１５は、光透過濃度が１．５以上である磁気隠蔽層の条件を満たしている。また、隠蔽層１５は、少なくともカード上端からＬ＝２１ｍｍ内と、カード下端からＭ＝１０ｍｍ内を含む領域に形成されている。
なお、隠蔽銀層１５−１又はオフホワイト層１５−２の何れか一方によって、十分な隠蔽性を持たせることができれば、他方は設けなくてもよい。
【００１４】
この隠蔽層１５は、この領域（カード上端から２１ｍｍ内と、下端から１０ｍｍ内）を隠蔽しているので、前述したＩＳＯ規格上の光透過濃度（ＩＳＯ７８１０／ＪＩＳ６３０１）を満足することができる。従って、いままで、前記規格を満足しないことによって不可能であったＡＴＭ等の機械読取が可能となった。
【００１５】
さらに、この透明カード１０は、文字・画像情報を形成する絵柄印刷層（表面画像表示層）１６が、シルクスクリーン印刷又はオフセット印刷等で形成されている。
この実施形態では、異なる効果のある２層以上の印刷層、例えば、通常印刷層１６−１と、光沢印刷層１６−２の２層構成とした。この絵柄印刷層１６は、オーバーシート１２Ａと隠蔽層１５との上に、またがるように形成した。
【００１６】
次に、本実施形態の透明カード１０の製造方法の一例を説明する。
（＃１）  透明センターコア１１Ｂの裏面に、カードの発行元や注意書きなどの裏面印刷層１３の印刷を行う。
（＃２）  ２枚の透明センターコア１１Ａ，１１Ｂを、裏面印刷層１３が外側になるように重ね合わせ、その両側に、オーバーシート１２Ａ，１２Ｂ、さらに、磁気ストライプ１４Ａ，１４Ｂを貼付した積層体を作製する。
（＃３）  ＃２で作製した積層体を、加熱・加圧して一体化して、カード基材を作製する。
【００１７】
（＃４）  透明ＰＥＴへ、カードおもて面に形成する隠蔽層１５及び絵柄層１６を、逆像で印刷する。
（＃５）  ＃４で印刷した隠蔽層１５及び絵柄層１６を、＃３で作製したカード基材に転写して、透明ＰＥＴを剥がす。
（＃６）  オーバーシート１２Ｂの裏面に、サインパネル１７を形成して、透明カード１０が完成する。
【００１８】
以上説明した透明カード１０は、規格で規定された領域（カード上端から２１ｍｍ内と、下端から１０ｍｍ内）に、ＩＳＯ規格上の光透過濃度の隠蔽層１５を設けているので、ＡＴＭ等の機器読取が可能となった。
【００１９】
一方、この透明カード１０では、図１（ｂ）に示すように、例えば、透明部分１０Ａは、完全透明，着色透明，白濁透明又はラメ入り、蛍光などの意匠効果を出すことができる。
また、転写印刷部１０Ｂは、隠蔽銀層１５−１，オフホワイト層１５−２を設け十分な隠蔽効果を持たせると共に、その他にも、グラディションを持たせた背景絵柄などを形成することができる。
さらに、絵柄印刷部１０Ｃは、シルクスクリーンやオフセット印刷などで、多彩な印刷を施すことができる。
従って、この透明カード１０は、部分的に透明な絵柄を形成することにより、特殊な意匠性を持たせることができる。
【００２０】
以上説明した実施形態に限定されることなく、種々の変形や変更が可能であって、それらも本発明の均等の範囲内である。
本実施形態では、磁気ストライプカードを例に説明したが、ＩＣカード，光カード等各種カード及びポストカード、名刺等カード形状をした媒体に適用可能である。
また、印刷層は、裏面印刷層１３のみの例で説明したが、センターコア１１Ａ上にも設けるようにしてもよい。このようにすれば、オーバーシート１２Ａ上の印刷が剥離した場合にも、対応できるからである。
【００２１】
【発明の効果】
以上詳しく説明したように、本発明によれば、所定の領域に隠蔽層を設けているので、磁気ストライプ等の非透過性層を隠蔽でき、ＡＴＭ等の機器読取が可能である。
また、部分的に透明な絵柄を形成することにより、特殊な意匠性を持たせることができる。
さらに、絵柄印刷層１６は、１層でもよいし、図１のように、オーバーシート１２Ａ上にまたがらなくてもよい。
【図面の簡単な説明】
【図１】本発明による透明カードの実施形態を示す図であって、図１（ａ）は、カード層構成を示す図、図１（ｂ）は、カード表面を示す図である。
【符号の説明】
１０  透明カード
１１Ａ，１１Ｂ  透明センターコア（透明コア層）
１２Ａ，１２Ｂ  オーバーシート（透明被覆層）
１３ａ，１３ｂ  裏面印刷層（層間画像表示層）
１４Ａ，１４Ｂ  磁気ストライプ（ＭＳ）
１５  隠蔽層
１５−１（１５−１ａ，１５−１ｂ）  隠蔽銀層
１５−２（１５−２ａ，１５−２１ｂ）  オフホワイト層
１６  絵柄印刷層（表面画像表示層）
【図１】
0004408165.tif 000002